(57)【特許請求の範囲】
【請求項１】
支持部と、該支持部の外周側に連続して形成された上端部とを有するフレームと、
前記フレームに振動可能に接着された振動板部材と、
前記フレームと前記振動板部材とを接着するための接着剤とを備え、
前記振動板部材の外周部は、
前記支持部に対向する下面部と、前記上端部と距離をあけて前記下面部から立ち上がる立ち上がり部と、該立ち上がり部から前記上端部に向けて延びる上面部、
または、上面部と、該上面部の両側の立ち上がり部と、該立ち上がり部の両側に位置し、前記支持部に対向する下面部と、を有し、
前記接着剤で前記フレームの前記支持部と前記振動板部材の前記外周部とを接着する接着部において、前記支持部に前記下面部が接着されると共に、前記接着剤を溜めるための隙間を有し、
前記隙間が、前記立ち上がり部と、該立ち上がり部から前記上端部に向けて延びる上面部と、前記支持部と、前記上端部とによって囲まれた空間、
または、前記上面部と、前記上面部の両側の前記立ち上がり部と、前記支持部とによって囲まれた空間によって形成されている、振動装置。
【請求項２】
前記振動板部材に固定されたボイスコイルと、
前記ボイスコイルと間隔をあけて配置されたマグネットとをさらに備えた、請求項１に記載の振動装置。
【請求項３】
前記立ち上がり部と、該立ち上がり部から前記上端部に向けて延びる上面部と、前記支持部と、前記上端部とによって囲まれた空間により形成された前記隙間は、前記接着部の径方向の中央より外周側に配置されている、請求項１または２に記載の振動装置。
【請求項４】
前記上面部と、前記上面部の両側の前記立ち上がり部と、前記支持部とによって囲まれた空間によって形成された前記隙間は、前記接着部の径方向の中央に配置されている、請求項１または２に記載の振動装置。
【請求項５】
前記上面部と、前記上面部の両側の前記立ち上がり部と、前記支持部とによって囲まれた空間によって形成された前記隙間は、前記接着部の径方向の中央より内周側に配置されている、請求項１または２に記載の振動装置。
【請求項６】
前記振動板部材は、外周端で前記フレームと接することにより前記フレームに対して位置決めされている、請求項１〜５のいずれかに記載の振動装置。
【請求項７】
前記振動板部材は、前記振動板部材の前記接着部より内周側で前記フレームと接することにより前記フレームに対して位置決めされている、請求項１〜５のいずれかに記載の振動装置。
【請求項８】
前記隙間の高さは、０．１ｍｍ以上０．３ｍｍ以下で、かつ幅は、０．１ｍｍ以上０．２ｍｍ以下である、請求項１〜７のいずれかに記載の振動装置。
【請求項９】
請求項１〜８のいずれかの振動装置を備えた、携帯情報端末。
【発明の詳細な説明】
【技術分野】
【０００１】
本発明は、振動装置および携帯情報端末に関し、特に、接着部におけるフレームとそのフレームに振動可能に接着された振動板部材とを有する振動装置および携帯情報端末に関するものである。
【背景技術】
【０００２】
フレームに固定された振動板部材を有する振動装置の一例として、スピーカユニットやマルチファンクションデバイス（ＭＦＤ）などがあげられる。なお、スピーカユニットは、いわゆるスピーカとレシーバーとを含んでいる。ＭＦＤは、スピーカユニット機能とバイブレーション機能とを有している。【０００３】
このような、振動装置は、携帯電話機、デジタルカメラ、パーソナルコンピュータ、ゲーム機、ＰＤＡ（Personal Digital Assistants）などに用いられている。【０００４】
従来、振動装置のフレームと振動板部材とは接着剤で固定されている。たとえば、特開平９−３２２２８９号公報（特許文献１）には、スピーカフレーム（フレーム）の段部と振動板（振動板部材）の支持部との間に接着剤を介在させて振動板がスピーカフレームに支持固定されたスピーカユニットが開示されている。
【先行技術文献】
【特許文献】
【０００５】
【特許文献１】特開平９−３２２２８９号公報
【発明の概要】
【発明が解決しようとする課題】
【０００６】
振動装置では、振動板部材が振動するため、フレームに振動板部材をしっかりと固定することが求められる。しっかりと固定するため、フレームと振動板部材との間には接着剤が塗布される。【０００７】
しかし、上記公報のスピーカユニットでは、フレームと振動板部材との各接着部は平坦形状を有している。そのため、振動板部材をフレームに取り付ける際に、フレームと振動板部材とに挟まれた接着剤が振動板部材の外周端からはみ出し、振動板部材の上面に回りこんでしまう。【０００８】
振動板部材は、治具によって振動板部材の上面から接着部を押圧されることにより接着される。そのため、振動板部材の上面に回り込んだ接着剤が、治具に付着することにより、治具と振動板部材とが固着し、作業性が悪いという問題がある。【０００９】
また、振動板部材の上面に回り込んだ接着剤によって、振動板部材の上面にフレームカバーなどの部品を取り付ける際に、がたつきが生じるという問題がある。また、振動板部材の上面にフレームカバーなどの部品を取り付けた各スピーカユニットの高さ方向の寸法にばらつきが生じるという問題がある。【００１０】
本発明は、上記課題を鑑みてなされたものであり、その目的は、フレームと振動板部材との間から接着剤がはみ出すことを抑制できる振動装置および携帯情報端末を提供することである。
【課題を解決するための手段】
【００１１】
本発明の振動装置は、フレームと、フレームに振動可能に接着された振動板部材と、フレームと振動板部材とを接着するための接着剤とを備えている。接着剤でフレームと振動板部材とを接着する接着部におけるフレームと振動板部材との互いに対向する面に接着剤を溜めるための隙間が形成されている。【００１２】
本発明の振動装置によれば、接着部におけるフレームと振動板部材との互いに対向する面に接着剤を溜めるための隙間が形成されているため、接着剤が隙間に溜められるので、フレームと振動板部材との間から接着剤がはみ出すことを抑制できる。【００１３】
上記の振動装置において好ましくは、振動板部材に固定されたボイスコイルと、ボイスコイルと間隔をあけて配置されたマグネットとをさらに備えている。振動板部材にボイスコイルが固定されているため、ボイスコイルの振動によって振動板部材を振動させることができる。【００１４】
上記の振動装置において好ましくは、隙間は、接着部の径方向の中央より外周側に配置されている。隙間が接着部の径方向の中央より外周側に配置されているため、外周上方への接着剤の漏れ出しをより直接的に抑制できる。【００１５】
上記の振動装置において好ましくは、隙間は、接着部の径方向の中央に配置されている。隙間が接着部の径方向の中央に配置されているため、隙間の両側で下面部がフレームの支持部に接着されるので、振動板部材をフレームに、より安定して接着することができる。【００１６】
上記の振動装置において好ましくは、隙間は、接着部の径方向の中央より内周側に配置されている。隙間が接着部の径方向の中央より内周側に配置されているため、隙間がフレームカバーによって覆われるように構成され得るので、フレームカバーによって覆われることにより隙間を保護することができる。【００１７】
上記の振動装置において好ましくは、隙間は、接着部において振動板部材に凸形状を形成することにより形成されている。隙間が接着部において振動板部材に凸形状を形成することにより形成されているため、振動板部材のみを加工することにより隙間を形成することができるので、生産効率を向上することができる。【００１８】
上記の振動装置において好ましくは、隙間は、接着部においてフレームに凹形状を形成することにより形成されている。隙間が接着部においてフレームに凹形状を形成することにより形成されているため、フレームのみを加工することにより隙間を形成することができるので、生産効率を向上することができる。【００１９】
上記の振動装置において好ましくは、振動板部材は、外周端でフレームと接することによりフレームに対して位置決めされている。振動板部材は、外周端でフレームと接することによりフレームに対して位置決めされているため、位置決めのための構造を別途設ける必要がないので、生産効率を向上することができる。【００２０】
上記の振動装置において好ましくは、振動板部材は、振動板部材の接着部より内周側でフレームと接することによりフレームに対して位置決めされている。振動板部材は、振動板部材の接着部より内周側でフレームと接することによりフレームに対して位置決めされているため、振動板部材が外周側にずれることが抑制されるので振動板部材をフレームに、より確実に位置決めすることができる。【００２１】
上記の振動装置において好ましくは、隙間の高さは、０．１ｍｍ以上０．３ｍｍ以下で、かつ幅は、０．１ｍｍ以上０．２ｍｍ以下である。隙間の高さは、０．１ｍｍ以上０．３ｍｍ以下で、かつ幅は、０．１ｍｍ以上０．２ｍｍ以下であるため、隙間に接着剤を確実に溜めることができる。【００２２】
本発明の携帯情報端末は、上記のいずれかの振動装置を備えている。【００２３】
本発明の携帯情報端末によれば、上記のいずれかの振動装置を備えているため、振動板部材の上面に回り込んだ接着剤によって、振動板部材の上面にフレームカバーなどの部品を取り付ける際に、がたつきが生じることを抑制することができる。振動板部材の上面にフレームカバーなどの部品を取り付けた各振動装置の高さ方向の寸法にばらつきが生じることを抑制することができる。これにより、より高い精度で携帯情報端末内に振動装置を搭載することができる。また、設計の自由度を向上することができる。
【発明の効果】
【００２４】
以上説明したように、本発明の振動装置および携帯情報端末によれば、フレームと振動板部材との間から接着剤がはみ出すことを抑制できる。
【図面の簡単な説明】
【００２５】
【図１】本発明の実施の形態１におけるスピーカユニットを概略的に示す断面図である。
【図２】本発明の実施の形態１におけるスピーカユニットを概略的に示す斜視図である。
【図３】本発明の実施の形態１におけるスピーカユニットの振動板部材を概略的に示す斜視図である。
【図４】図１のＰ部を示す拡大図である。
【図５】本発明の実施の形態１におけるスピーカユニットの振動板部材をフレームに取り付ける様子を概略的に示す断面図である。
【図６】本発明の実施の形態１におけるスピーカユニットの振動板部材をフレームに接着する様子を概略的に示す断面図である。
【図７】本発明の実施の形態１におけるスピーカユニットの隙間が接着部の径方向の中央に配置されている様子を概略的に示す断面図（ａ）と、隙間が接着部の径方向の中央より内周側に配置されている様子を概略的に示す断面図（ｂ）である。
【図８】本発明の実施の形態１におけるスピーカユニットの隙間が接着部において振動板部材に凸形状を形成することに加えて、フレームに凹形状を形成することにより形成されている様子を概略的に示す断面図（ａ）と、隙間が接着部においてフレームに凹形状を形成することにより形成されている様子を概略的に示す断面図（ｂ）である。
【図９】本発明の実施の形態１における外磁型のスピーカユニットを概略的に示す断面図である。
【図１０】本発明の実施の形態１における水平型のスピーカユニットを概略的に示す断面図である。
【図１１】本発明の実施の形態１におけるＭＦＤを概略的に示す断面図である。
【図１２】従来のスピーカユニットの振動板部材をフレームに取り付ける様子を概略的に示す断面図である。
【図１３】従来のスピーカユニットの振動板部材がフレームに接着され、フレームカバーが取り付けられた状態を概略的に示す断面図である。
【図１４】本発明の実施の形態２におけるスピーカユニットの振動板部材がフレームに接着され、フレームカバーが取り付けられた状態を概略的に示す断面図である。
【図１５】本発明の実施の形態２におけるスピーカユニットの振動板部材をフレームに取り付ける様子を概略的に示す断面図である。
【図１６】本発明の実施の形態３における携帯情報端末を概略的に示す斜視図である。
【図１７】本発明の実施の形態３における携帯情報端末の折りたたまれた状態を概略的に示す斜視図である。
【発明を実施するための形態】
【００２６】
以下、本発明の実施の形態について図に基づいて説明する。
【００２７】
（実施の形態１）
最初に本発明の実施の形態１の振動装置の構成について説明する。本実施の形態では、振動装置の一例として主にスピーカユニットについて説明する。
【００２８】
図１および図２を参照して、スピーカユニット１０は、フレーム１１と、振動板部材１２と、フレームカバー１３と、ボイスコイル１４と、マグネット１５と、プレート１６と、ヨーク１７とを主に有している。なお、図２においては見やすくするためフレームカバー１３は図示されていない。
【００２９】
フレーム１１は、支持部１１ａと、内周部１１ｂと、上端部１１ｃとを主に有している。フレーム１１は、支持部１１ａの上面に振動板部材１２の外周部１２ｄが接着されることにより、振動板部材１２が振動可能に接着されるように構成されている。支持部１１ａと内周部１１ｂとの間には段差が設けられていてもよい。また、フレーム１１は、内周部１１ｂにおいてヨーク１７を支持するように構成されている。上端部１１ｃは、支持部１１ａの外周側に連続して形成されている。フレーム１１は、たとえば平面視において円形状に形成されている。フレーム１１は、たとえば樹脂で形成されていてもよく、また金属で形成されていてもよい。
【００３０】
振動板部材１２は、上下方向（図１中矢印Ａ方向）に振動可能なように薄板によって構成されている。振動板部材１２は、中央部１２ａと、中央部１２ａの外周側に形成された平坦部１２ｂと、平坦部１２ｂの外周側に形成された周辺部１２ｃと、周辺部１２ｃの外周側に形成された外周部１２ｄとを有している。振動板部材１２は、たとえば平面視において円形状に形成されている。中央部１２ａおよび周辺部１２ｃは、図１の断面視において円弧状に形成されている。平坦部１２ｂは、図１の断面視において平坦に形成されている。振動板部材１２の周辺部１２ｃの上面には、複数の溝１２ｃ１が渦状に形成されている。振動板部材１２は、たとえば、ＰＥＴ（ポリエチレンテレフタレート）、ＰＥＮ（ポリエチレンナフタレート）、ＰＥＩ（ポリエーテルイミド）などで形成されている。
【００３１】
フレームカバー１３は、振動板部材１２を覆うように形成されている。フレームカバー１３は、振動板部材１２の中央部１２ａ、平坦部１２ｂおよび周辺部１２ｃを覆うように配置されていてもよい。フレームカバー１３は、振動板部材１２を介してフレーム１１の支持部１２ａに支持されている。フレームカバー１３には孔１３ａが形成されている。フレームカバー１３は、たとえば平面視において円形状に形成されている。
【００３２】
ボイスコイル１４の上面が振動板部材１２の平坦部１２ｂの下面に接着されることにより、ボイスコイル１４が振動板部材１２に固定されている。ボイスコイル１４は、たとえば円環状に形成されている。マグネット１５は、ボイスコイル１４の内周面と間隔をあけてボイスコイル１４の内周側に配置されている（内磁型）。ヨーク１７は、ボイスコイル１４の外周面と間隔をあけてボイスコイル１４の外周側に配置された部分（外周側部分）とボイスコイル１４およびマグネット１５の下側に配置された部分（下側部分）とを有している。
【００３３】
ヨーク１７は、外周側部分の外周面でフレーム１１の内周部１１ｂと嵌合することにより固定されている。ヨーク１７の下側部分は、ボイスコイル１４の下面と間隔をあけて配置されている。ヨーク１７の下側部分の中央部にはマグネット１５が配置されている。マグネット１５の上面にはプレート１６が配置されている。これらのマグネット１５、プレート１６およびヨーク１７により磁気回路が構成されている。
【００３４】
図３および図４を参照して、振動板部材１２の外周部１２ｄは、下面部１２ｄ１と、立ち上がり部１２ｄ２と、上面部１２ｄ３とを有している。下面部１２ｄ１は、フレーム１１の支持部１１ａと対向して配置されるように構成されている。立ち上がり部１２ｄ２は、フレーム１１の上端部１１ｃの内周面と距離をあけて下面部１２ｄ１から立ち上がるように構成されている。立ち上がり部１２ｄ２は、たとえば高さ０．１ｍｍ以上０．３ｍｍ以下で形成されている。上面部１２ｄ３は、フレーム１１の支持部１１ａの上面と距離をあけて上端部１１ｃの内周面に向かって延びるように構成されている。上面部１２ｄ３は、たとえば幅０．１ｍｍ以上０．２ｍｍ以下で形成されている。振動板部材１２の外周端１２ｅがフレーム１１の上端部１１ｃの内周面に接するように配置されている。
【００３５】
立ち上がり部１２ｄ２と上面部１２ｄ３とは、立ち上がり部１２ｄ２から上面部１２ｄ３へ折り曲がり、外周端１２ｅでフレーム１１の上端部１１ｃの内周面に接するように構成されている。立ち上がり部１２ｄ２とフレーム１１の上端部１１ｃの内周面との間に隙間２２が形成されている。
【００３６】
下面部１２ｄ１と、立ち上がり部１２ｄ２と、上面部１２ｄ３とは、外周部１２ｄの周方向の一部に設けられていてもよいが、確実に接着剤２１がはみ出すことを抑制するためには周方向の全部に設けられていることが好ましい。
【００３７】
フレーム１１と振動板部材１２とは接着剤２１で接着されている。接着部２０は、接着剤２１でフレーム１１と振動板部材１２とを接着する部分であり、フレーム１１の支持部１１ａ上に接着剤２１が塗布されている部分である。下面部１２ｄ１と支持部１１ａとの間には、たとえば１５μｍ以上５０μｍ以下の厚さで接着剤２１が塗布されている。
【００３８】
隙間２２は、接着剤２１を溜めるためのものである。隙間２２は、接着部２０におけるフレーム１１と振動板部材１２との互いに対向する面に形成されている。隙間２２は、接着部２０において振動板部材１２に凸形状を形成することにより形成されている。隙間２２は、振動板部材１２の立ち上がり部１２ｄ２の外周面および上面部１２ｄ３の下面、ならびにフレーム１１の支持部１１ａの上面および上端部１１ｃの内周面とによって囲まれた空間で構成されている。
【００３９】
隙間２２は接着部２０の径方向の中央より外周側に配置されている。この接着部２０の径方向の中央とは、接着部２０の径方向における内周と外周との中間位置である。図４中仮想の線ＣＬは、接着部２０の径方向の中央を示す線である。この隙間２２にフレーム１１と振動板部材１２との間からはみ出た接着剤２１が溜められている。隙間２２が接着部２０の径方向の中央より外周側に配置されているため、外周上方への接着剤の漏れ出しがより直接的に抑制され得る。また、隙間２２が外周側より内側に配置されている場合に比べてフレームカバー１３の径が小さくされ得る。
【００４０】
隙間２２は、振動板部材１２側にのみ形成されていてもよい。隙間２２が振動板部材１２側にのみ形成されている場合には、振動板部材１２のみを加工することにより隙間２２が形成され得る。これにより、生産効率が向上し得る。
【００４１】
次に、本実施の形態のスピーカユニットの動作について説明する。
【００４２】
上記の構成により、マグネット１５から発生する磁束がプレート１６およびヨーク１７によって導かれて、ボイスコイル１４の配置されている空隙に収束されて磁界が発生する。そして、ボイスコイル１４に交番電流が流れると、ボイスコイル１４を流れる交番電流とマグネット１５から発生する磁界とによってフレミングの左手の法則に基づいて、ボイスコイル１４が上下に振動する。したがって、ボイスコイル１４に取り付けられた振動板部材１２が振動する。これにより、電気信号（交番電流）が音響（振動）に変換される。
【００４３】
次に、本実施の形態のスピーカユニットにおけるフレームへの振動板部材の取り付け方法について説明する。
【００４４】
図５を参照して、振動板部材１２の外周端１２ｅがフレーム１１の上端部１１ｃの内周面に接するように振動板部材１２がフレーム１１に取り付けられる。振動板部材１２は、外周端１２ｅでフレーム１１と接することによりフレーム１１に対して位置決めされる。外周端１２ｅで位置決めされるため、位置決めのための構造を別途設ける必要がないので、生産効率が向上され得る。
【００４５】
図６を参照して、治具３１によって振動板部材１２がフレーム１１に押圧される。好ましくは、治具３１の突起部３１ａによって振動板部材１２の下面部１２ｄ１の上面が押圧される。また、治具３１に凹部を設けて、凹部の内周面の一方をフレーム１１の上端部１１ｃの外周面に接触させることにより、治具３１が位置決めされてもよい。これにより、突起部３１ａが下面部１２ｄ１の上面を正確に押圧し得る。また、突起部３１ａの高さに振動板部材１２の下面部１２ｄ１の厚みと接着剤２１の厚みとを加えた高さをフレーム１１の上端部１１ｃの高さにあわせることにより、突起部３１ａが振動板部材１２を過度に押圧することが抑制され得る。
【００４６】
治具３１は、たとえば透明なアクリル樹脂で形成されている。接着剤２１は、たとえば紫外線硬化性樹脂からなっている。振動板部材１２が治具３１によって押圧された状態で、紫外線照射装置３２によって紫外線３３が照射される。この紫外線３３によってフレーム１１と振動板部材１２との間に塗布された接着剤２１および隙間２２に溜められた接着剤２１が硬化する。これにより、フレーム１１と振動板部材１２とが接着剤２１によって接着される。
【００４７】
なお、接着剤２１は、可視光硬化性樹脂などの光硬化性樹脂であってもよい。この場合は、その光硬化性樹脂を硬化させる波長の光を照射する照射装置が使用される。
【００４８】
また、接着剤２１は、熱硬化性樹脂や溶剤系の接着剤も適用され得る。
【００４９】
上記では、隙間２２が接着部２０の径方向の中央より外周側に配置されている場合について説明したが、図７（ａ）に示すように隙間２２が接着部２０の径方向の中央に配置されていてもよい。隙間２２は、振動板部材１２の上面部１２ｄ３の下面および上面部１２ｄ３の両側の立ち上がり部１２ｄ２の互いに対向する面、ならびにフレーム１１の支持部１１ａの上面とによって囲まれた空間で構成されている。
【００５０】
隙間２２が接着部２０の径方向の中央に配置されていることにより、隙間２２の両側で下面部１２ｄ１がフレーム１１の支持部１１ａに接着されているため、振動板部材１２がフレーム１１に、より安定して接着され得る。
【００５１】
また、図７（ｂ）に示すように隙間２２が接着部２０の径方向の中央より内周側に配置されていてもよい。隙間２２が接着部２０の径方向の中央より内周側に配置されていることにより、隙間２２がフレームカバー１３によって覆われるように構成され得る。フレームカバー１３によって覆われることにより隙間２２が保護され得る。
【００５２】
上記では、振動板部材１２側にのみ隙間２２が形成されている場合について説明したが。図８（ａ）に示すように振動板部材１２側に加えてフレーム１１側にも隙間２２が形成されていてもよい。隙間２２は、接着部２０において振動板部材１２に凸形状を形成することに加えて、フレーム１１に凹形状を形成することにより形成されている。隙間２２は、振動板部材１２の立ち上がり部１２ｄ２の外周面および上面部１２ｄ３の下面、ならびにフレーム１１の上端部１１ｃの内周面および支持部１１ａに形成された溝１１ａ１とによって囲まれた空間で構成されている。
【００５３】
振動板部材１２側に加えてフレーム１１側にも隙間２２が形成されていることにより、振動板部材１２側とフレーム１１側の両側に隙間２２が形成され得るため、隙間２２の体積が容易に調整され得る。
【００５４】
また、図８（ｂ）に示すようにフレーム１１側にのみ隙間２２が形成されていてもよい。隙間２２は、接着部２０においてフレーム１１に凹形状を形成することにより形成されている。隙間２２は、フレーム１１に形成された溝１１ａ１と振動板部材１２の下面部１２ｄ１の下面とによって囲まれた空間で構成されている。フレーム１１側にのみ隙間２２が形成されていることにより、フレーム１１のみを加工することにより隙間２２が形成され得る。
【００５５】
なお、上記ではスピーカユニットは、平面視において円形状に構成されている場合について説明したが、平面視において矩形状に構成されていてもよい。
【００５６】
上記では、内磁型のスピーカユニットについて説明したが、本実施の形態は、外磁型のスピーカユニットにも適用され得る。以下、外磁型のスピーカユニットの構成の一例について説明する。この構成は、特に言及しない限り、上記した内磁型のスピーカユニットと同様であるため、同一の要素については同一の符号を付し、説明を繰り返さない。
【００５７】
図９を参照して、マグネット１５は、ボイスコイル１４の外周面と間隔をあけてボイスコイル１４の外周側に配置されている（外磁型）。ヨーク１７は、ボイスコイル１４の内周面と間隔をあけてボイスコイル１４の内周側に配置された部分（内周側部分）と、ボイスコイル１４およびマグネット１５の下側に配置された部分（下側部分）とを有している。ヨーク１７の下側部分は、ボイスコイル１４の下面と間隔をあけて配置されている。ヨーク１７の下側部分にはマグネット１５が載置されている。またマグネット１５の上面にはプレート１６が配置されている。
【００５８】
また、本実施の形態は、水平型のスピーカユニットにも適用され得る。以下、水平型のスピーカユニットの構成の一例について説明する。この構成は、特に言及しない限り、上記した水平型のスピーカユニットと同様であるため、同一の要素については同一の符号を付し、説明を繰り返さない。
【００５９】
図１０を参照して、ボイスコイル１４は、厚み方向より幅方向の積層数が多い形状に形成されている（水平型）。ボイスコイル１４は、マグネット１５の上面上に間隔をあけて配置されている。ボイスコイル１４は、マグネット１５によって生じる磁束がボイスコイル１４を横切るように配置されている。
【００６０】
マグネット１５は、厚み方向に磁性化されている。マグネット１５は、一対の直方体状のアウターマグネット１５ａと、直方体状のインナーマグネット１５ｂとを含んでいる。一対のアウターマグネット１５ａとインナーマグネット１５ｂとは、逆向きに磁性化されている。つまり、たとえば一対のアウターマグネット１５ａの下面がＮ極となるように磁性化され、インナーマグネット１５ｂの上面がＮ極となるように磁性化されている。なお、一対のアウターマグネット１５ａとインナーマグネット１５ｂとは、逆向きに磁性化されていればよい。
【００６１】
マグネット１５は、アウターマグネット１５ａの外周面がフレーム１１の内周面と嵌合することにより固定されている。ヨーク１７は、マグネット１５の下側に配置されている。ヨーク１７は、ヨーク１７の側面がフレーム１１の内周面と嵌合することにより固定されている。フレーム１１は、内周面においてマグネット１５およびヨーク１７を支持している。
【００６２】
上記では振動装置の一例として、スピーカユニットについて説明したが、本実施の形態は、ＭＦＤにも適用され得る。以下、ＭＦＤの構成の一例について説明する。この構成は、特に言及しない限り、上記した内磁型のスピーカユニットと同様であるため、同一の要素については同一の符号を付し、説明を繰り返さない。
【００６３】
図１１を参照して、ＭＦＤ５０は、上記のスピーカユニットの構成に加えて、ケース５１と、弾性部材５２と、接続部材５３と、固定部材５４とを主に有している。フレーム１１を支持するケース５１の内側において、マグネット１５、プレート１６およびヨーク１７からなる磁気回路がフレーム１１から弾性部材５２によって吊られるように構成されている。弾性部材５２は、磁気回路を振動可能に支持するように構成されている。弾性部材５２の一方端は、接続部材５３によって、フレーム１１に接続されている。弾性部材５２の他方端は、ヨーク１７の突起部１７ａと固定部材５４とに挟まれて、ヨーク１７に接続されている。ヨーク１７の外周面１７ｂが固定部材５４の内周面に接触するように構成されている。ケース５１には孔５１ａが形成されている。
【００６４】
次に、ＭＦＤの動作について説明する。
【００６５】
ＭＦＤにおいて、マグネット１５から発生する磁界と、ボイスコイル１４に流れる交番電流とによって、ボイスコイル１４に取り付けられた振動板部材１２が振動することは、スピーカユニットと同様である。ＭＦＤでは、磁気回路が弾性部材５２によって吊られているため、磁気回路も振動する。磁気回路は振動板部材１２に比べて重いため、磁気回路が振動することにより、強い振動が発生する。これにより、バイブレーション機能が奏される。
【００６６】
次に、本実施の形態の振動装置の作用効果について、従来のスピーカユニットと比較して説明する。
【００６７】
図１２および図１３を参照して、従来のスピーカユニット１０では、接着部２０におけるフレーム１１と振動板部材１２との互いに対向する面に接着剤を溜めるための隙間２２が設けられていない。
【００６８】
振動板部材１２の外周端１２ｅがフレーム１１の上端部１１ｃの内周面に沿うように振動板部材１２がフレーム１１に取り付けられる。この際、支持部１１ａ上に塗布された接着剤２１が外周部１２ｄによって押圧される。これにより、接着剤２１が支持部１１ａと外周部１２ｄとの間から外周端１２ｅと上端部１１ｃの内周面を通ってはみ出して、外周部１２ｄの上面に回りこむ。その結果、フレームカバー１３と外周部１２ｄとの間に接着剤２１が介在する。
【００６９】
それに対し、本実施の形態の振動装置によれば、接着部２０におけるフレーム１１と振動板部材１２との互いに対向する面に接着剤２１を溜めるための隙間２２が形成されているため、接着剤２１が隙間２２に溜められるので、フレーム１１と振動板部材１２との間から接着剤がはみ出すことを抑制できる。
【００７０】
これにより、振動板部材１２の上面に接着剤２１が回り込むことを抑制することができる。そのため、振動板部材１２の上面から接着部２０を押圧する治具３１に接着剤２１が付着することを抑制することができる。よって、治具３１と振動板部材１２とが固着することにより作業性が低下することを抑制することができる。
【００７１】
また、振動板部材１２の上面に回り込んだ接着剤２１によって、振動板部材１２の上面にフレームカバー１３などの部品を取り付ける際に、がたつきが生じることを抑制することができる。振動板部材１２の上面にフレームカバー１３などの部品を取り付けた各振動装置の高さ方向の寸法にばらつきが生じることを抑制することができる。
【００７２】
また、本実施の形態の振動装置によれば、振動板部材１２にボイスコイル１４が固定されているため、ボイスコイル１４の振動によって振動板部材１２を振動させることができる。
【００７３】
また、本実施の形態の振動装置によれば、隙間２２が接着部２０の径方向の中央より外周側に配置されているため、外周上方への接着剤２１の漏れ出しをより直接的に抑制できる。立ち上がり部１２ｄ２と上面部１２ｄ３とは、立ち上がり部１２ｄ２から上面部１２ｄ３へ折り曲がり、外周端１２ｅでフレーム１１の上端部１１ｃの内周面に接するように構成されているので、フレーム１１と振動板部材１２との間から外周上方へ漏れ出した接着剤２１をより直接的に溜めることができる。また、隙間２２が外周側より内側に配置されている場合に比べてフレームカバー１３の径を小さくすることができる。
【００７４】
また、本実施の形態の振動装置によれば、隙間２２が接着部２０の径方向の中央に配置されているため、隙間２２の両側で下面部１２ｄ１がフレーム１１の支持部１１ａに接着されるので、振動板部材１２をフレーム１１に、より安定して接着することができる。
【００７５】
また、本実施の形態の振動装置によれば、隙間２２が接着部２０の径方向の中央より内周側に配置されているため、隙間２２がフレームカバー１３によって覆われるように構成され得るので、フレームカバー１３によって覆われることにより隙間２２を保護することができる。
【００７６】
また、本実施の形態の振動装置によれば、隙間２２が接着部２０において振動板部材１２に凸形状を形成することにより形成されているため、振動板部材１２のみを加工することにより隙間２２を形成することができるので、生産効率を向上することができる。
【００７７】
また、本実施の形態の振動装置によれば、隙間２２が接着部２０においてフレーム１１に凹形状を形成することにより形成されているため、フレーム１１のみを加工することにより隙間２２を形成することができるので、生産効率を向上することができる。
【００７８】
また、本実施の形態の振動装置によれば、振動板部材１２は、外周端１２ｅでフレーム１１と接することによりフレーム１１に対して位置決めされているため、位置決めのための構造を別途設ける必要がないので、生産効率を向上することができる。
【００７９】
また、本実施の形態の振動装置によれば、隙間２２の高さは、０．１ｍｍ以上０．３ｍｍ以下で、かつ幅は、０．１ｍｍ以上０．２ｍｍ以下であるため、隙間２２に接着剤２１を確実に溜めることができる。
【００８０】
（実施の形態２）
最初に本発明の実施の形態２の振動装置の構成について説明する。本実施の形態では振動装置の一例として主にスピーカユニットについて説明する。本実施の形態は、実施の形態１と比較して、振動板の周辺部１２ｃが立ち下がり部１２ｃを有している点で主に異なっている。
【００８１】
図１４を参照して、振動板部材１２は、振動板部材１２の接着部２０より内周側でフレーム１１と接することによりフレーム１１に対して位置決めされるように構成されている。振動板部材１２の周辺部１２ｃにおいて、立ち下がり部１２ｃ１が形成されている。立ち下がり部１２ｃ１は、振動板部材１２をフレーム１１に位置決めするように構成されている。立ち下がり部１２ｃは、フレーム１１の支持部１１ａから立ち下がる面に接触するように構成されている。立ち下がり部１２ｃ１は、上部において下面部１２ｄ１に繋がるように構成されている。
【００８２】
立ち下がり部１２ｃ１は、下部において周辺部１２ｃの断面視における円弧形状に繋がるように構成されていれてもよい。また、振動板部材１２の上面部１２ｄ３がフレーム１１の上端部１１ｃの上面に接触するように構成されていてもよい。
【００８３】
なお、本実施の形態のこれ以外の構成は、上記した実施の形態１と同様であるため同一の要素については同一の符号を付し、説明を繰り返さない。
【００８４】
次に、本実施の形態のスピーカユニットにおけるフレームへの振動板部材の取り付け方法について説明する。
【００８５】
図１５を参照して、振動板部材１２は、振動板部材１２の接着部２０より内周側でフレーム１１と接することによりフレーム１１に対して位置決めされている。振動板部材１２の立ち下がり部１２ｃの外周面がフレーム１１の支持部１１ａから立ち下がる面に接触するように位置決めされる。これにより、振動板部材１２がフレーム１１に、より確実に位置決めされ得る。
【００８６】
また、振動板部材１２の上面部１２ｄ３がフレーム１１の上端部１１ｃの上面に接触するように位置決めされてもよい。これにより、立ち下がり部１２ｃ１と上面部１２ｄ３との両方でフレーム１１に位置決めされるので、より確実に位置決めされ得る。また、上面部１２ｄ３が上端部１１ｃの上面に載置されるように位置決めされるため、振動板部材１２をハンドリングしやすいので、位置決め作業が容易にされ得る。
【００８７】
上記では内磁型のスピーカユニットを例として説明したが、本実施の形態は、実施の形態１で説明した外磁型のスピーカユニット、水平型のスピーカユニットおよびＭＦＤに適用され得る。
【００８８】
次に、本実施の形態の振動装置の作用効果について説明する。
【００８９】
以上により、本実施の形態によれば、実施の形態１と同様の作用効果を有する。
【００９０】
また、振動板部材１２は、振動板部材１２の接着部２０より内周側でフレーム１１と接することによりフレーム１１に対して位置決めされているため、振動板部材１２が外周側にずれることが抑制されるので振動板部材１２をフレーム１１に、より確実に位置決めすることができる。
【００９１】
（実施の形態３）
最初に本実施の形態における携帯情報端末の構成について説明する。本実施の形態では実施の形態１または２の振動装置を備えた携帯情報端末について説明する。
【００９２】
図１６および図１７を参照して、本実施の形態における携帯情報端末１００は、携帯電話機であって、上部筐体１０１、表示部１０２、放音孔１０３、ヒンジ部１０４、下部筐体１０５、操作ボタン１０６、数字ボタン１０７、表示部１１１、放音孔１１２と、図示しない実施の形態１または２の振動装置を主に備えている。
【００９３】
図１６を参照して、上部筐体１０１の表面には表示部１０２が設けられている。上部筐体１０１の表面の一方端部側には放音孔１０３が形成されている。上部筐体１０１の他方端部側にはヒンジ部１０４が形成されている。下部筐体１０５の一方端部側にはヒンジ部１０４が形成されている。ヒンジ部１０４によって上部筐体１０１と下部筐体１０５とは開閉可能に連結されている。下部筐体１０５の表面のヒンジ部１０４側には操作ボタン１０６が形成されている。操作ボタン１０６からヒンジ部１０４と反対側に向かって数字ボタン１０７が形成されている。
【００９４】
図１７を参照して、上部筐体１０１の裏面には表示部１１１が設けられている。表示部１１１の横に放音孔１１２が形成されている。
【００９５】
図示しない実施の形態１または２に記載の振動装置は、上部筐体１０１の内側に設けられている。その振動装置の一例であるスピーカユニットまたはＭＦＤより主に放音孔１０３および１１２を通じて携帯情報端末１００の外に音が発せられる。また、ＭＦＤにより振動が発せられる。
【００９６】
次に本実施の形態における携帯情報端末の作用効果について説明する。
【００９７】
本実施の形態における携帯情報端末１００によれば、上記の実施の形態１または２に記載の振動装置を備えているので、実施の形態１または２と同様の作用効果を有する。
【００９８】
また、振動板部材１２の上面に回り込んだ接着剤２１によって、振動板部材１２の上面にフレームカバー１３などの部品を取り付ける際に、がたつきが生じることを抑制することができる。振動板部材１２の上面にフレームカバー１３などの部品を取り付けた各振動装置の高さ方向の寸法にばらつきが生じることを抑制することができる。これにより、より高い精度で携帯情報端末１００内に振動装置を搭載することができる。また、設計の自由度を向上することができる。
【００９９】
なお、本実施の形態では、携帯情報端末は、携帯電話機を例として説明したが、これに限定されず、デジタルカメラ、パーソナルコンピュータ、ゲーム機、ＰＤＡなどであってもよい。
【０１００】
なお、本発明の振動装置は、上記の各実施の形態の各構成が適時組み合わされた構成であってもよい。
【０１０１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることを意図される。
【産業上の利用可能性】
【０１０２】
本発明は、接着部におけるフレームとそのフレームに振動可能に接着された振動板部材とを有する振動装置および携帯情報端末に特に有利に適用され得る。
【符号の説明】
【０１０３】
１０  スピーカユニット、１１  フレーム、１１ａ  支持部、１１ａ１  溝、１１ｂ  内周部、１１ｃ  上端部、１２  振動板部材、１２ａ  中央部、１２ｂ  平坦部、１２ｃ  周辺部、１２ｄ  外周部、１２ｄ１  下面部、１２ｄ２  立ち上がり部、１２ｄ３  上面部、１２ｅ  外周端、１３  フレームカバー、１４  ボイスコイル、１５  マグネット、１６  プレート、１７  ヨーク、２０  接着部、２１  接着剤、２２  隙間、３１  治具、３１ａ  突起部、５０  ＭＦＤ、５１  ケース、５２  弾性部材、５３  接続部材、５４  固定部材、１００  携帯情報端末、１０１  上部筐体、１０２  表示部、１０３  放音孔、１０４  ヒンジ部、１０５  下部筐体、１０６  操作ボタン、１０７  数字ボタン、１１１  表示部、１１２  放音孔。
【図１】
0005615279.tif 000002
【図２】
0005615279.tif 000003
【図３】
0005615279.tif 000004
【図４】
0005615279.tif 000005
【図５】
0005615279.tif 000006
【図６】
0005615279.tif 000007
【図７】
0005615279.tif 000008
【図８】
0005615279.tif 000009
【図９】
0005615279.tif 000010
【図１０】
0005615279.tif 000011
【図１１】
0005615279.tif 000012
【図１２】
0005615279.tif 000013
【図１３】
0005615279.tif 000014
【図１４】
0005615279.tif 000015
【図１５】
0005615279.tif 000016
【図１６】
0005615279.tif 000017
【図１７】
0005615279.tif 000018